(57)【要約】【課題】ディジタルテレビジョン放送を受信するためのサブ基板の支持板を兼ねた金属シールド板を不要化することで、小型化、軽量化、及び低コスト化ならしめるデジタルＣＲＴテレビを提供する。【解決手段】映像、音声、電源等の処理を行うメイン基板１２に垂直実装される処理用ＩＣを１チップ化してノイズを低減したサブ基板１３に対して、上記サブ基板１３に隣接してメイン基板１２に実装されるデジタルチューナ１１ｃでサブ基板１３を兼用支持固定することで、金属シールド板を不要化する。【選択図】図２
2007288045.tif 000002
【特許請求の範囲】
【請求項１】
映像を表示するためのＣＲＴディスプレイと、
アンテナが受信するデジタルテレビ放送信号から選択されたチャンネルの放送信号を抽出し、出力するデジタルチューナと、
前記デジタルチューナにより出力されたデジタルテレビ放送信号のスクランブルを解除するデ・スクランブル処理と、多重化されたデジタルテレビ放送信号の中から、映像信号、音声信号、及びデータ信号を取り出すデ・マルチプレックス処理を行うために１チップ化された処理用ＩＣが実装されるサブ基板と、
映像、音声、電源等の制御処理を行うメイン基板とを有し、
上記メイン基板が生成した映像、音声信号に基づいて所定の映像を前記ＣＲＴディスプレに表示するデジタルＣＲＴテレビにおいて、
前記メイン基板は前記ＣＲＴディスプレイの背面下方に水平に配置され、
前記デジタルチューナは、短辺と長辺とから成る略長方形の下面及び上面を有する略直方体の金属製筐体を有し、当該下面の四隅近傍には４つの脚部が各々設けられると共に、前記下面及び上面の長辺間に配置される２つの側面の内の一方には、四隅近傍に水平に切り起こされた４つの支持部が各々設けられ、前記脚部が半田接合されることでメイン基板に垂直に立設配置され、
前記サブ基板は、下端にスロット用端子が設けられると共に、前記デジタルチューナに設けられた４つの前記支持部に対応する位置に挿入孔が設けられ、前記メイン基板の前記デジタルチューナ立設位置の前記支持部側に隣接するように設けられたスロットに前記スロット用端子を挿入すると共に、デジタルチューナの一方側側面に設けられた前記支持部を対応する前記挿入孔に挿入、半田付け固定することで、メイン基板に垂直に立設配置されると共に、デジタルチューナに兼用支持固定されて成り、
前記デジタルチューナによるサブ基板の兼用支持と共に、サブ基板に実装される前記処理用ＩＣの１チップ化に伴う不要輻射ノイズの低減により、サブ基板の支持板を兼ねた金属シールド板を不要化したことを特徴とする、デジタルＣＲＴテレビ。
【請求項２】
電気電子機器内部に配置される回路基板実装構造において、
当該回路基板実装構造は、
水平に配置された第１の基板と、
当該第１の基板に実装される筐体部品に兼用支持された、第１の基板に垂直実装される第２の基板とを有して成ることを特徴とする、回路基板実装構造。
【請求項３】
電気電子機器内部に配置される回路基板実装構造において、
電気電子機器はデジタルテレビであって、
前記第１の基板は、映像、音声、電源等の制御処理を行うメイン基板であり、
前記筐体部品は、受信されるデジタルテレビ放送信号から選択されているチャンネルの放送信号を抽出し、出力するデジタルチューナであり、
前記第２の基板は、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うサブ基板であり、
当該回路基板実装構造は、
水平に配置された前記メイン基板と、
当該メイン基板に実装される前記デジタルチューナに兼用支持された、メイン基板に垂直実装されるサブ基板とを有して成ることを特徴とする、請求項２に記載の回路基板実装構造。
【請求項４】
電気電子機器内部に配置される回路基板実装構造において、
電気電子機器はデジタルテレビであって、
前記第１の基板は、映像、音声、電源等の制御処理を行うメイン基板であり、
前記筐体部品は、受信されるデジタルテレビ放送信号から選択されているチャンネルの放送信号を抽出し、出力するデジタルチューナであり、
前記第２の基板は、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された処理用ＩＣが実装されるサブ基板であり、
当該回路基板実装構造は、
水平に配置された前記メイン基板と、
当該メイン基板に実装される前記デジタルチューナに兼用支持された、メイン基板に垂直実装されるサブ基板とを有して成り、
前記デジタルチューナによるサブ基板の兼用支持と共に、サブ基板に実装される前記処理用ＩＣの１チップ化に伴う不要輻射ノイズの低減により、サブ基板の支持板を兼ねた金属シールド板を不要化することを特徴とする、請求項２〜３に記載の回路基板実装構造。  
【請求項５】
電気電子機器内部に配置される回路基板実装構造において、
電気電子機器はデジタルＣＲＴテレビであって、
当該デジタルＣＲＴテレビは、
前記ＣＲＴディスプレイと、
受信されるデジタルテレビ放送信号から選択されているチャンネルの放送信号を抽出し、出力する前記筐体部品としてのデジタルチューナと、
前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された処理用ＩＣが実装される前記第２の基板としてのサブ基板と、
映像、音声、電源等の制御処理を行う前記第１の基板としてのメイン基板とを有し、
前記メイン基板は前記ＣＲＴディスプレイの背面下方に水平に配置され、
前記デジタルチューナは、短辺と長辺とから成る略長方形の下面及び上面を有する略直方体の金属製筐体を有し、当該下面の四隅近傍には４つの脚部が各々設けられると共に、前記下面及び上面の長辺間に配置される２つの側面の内の一方には、四隅近傍に水平に切り起こされた４つの支持部が各々設けられ、前記脚部が半田接合されることでメイン基板に垂直に立設配置され、
前記サブ基板は、下端にスロット用端子が設けられると共に、デジタルチューナに設けられた４つの前記支持部に対応する位置に挿入孔が設けられ、前記メイン基板の前記デジタルチューナ立設位置の前記支持部側に隣接するように設けられたスロットに前記スロット用端子を挿入すると共に、デジタルチューナの一方側側面に設けられた前記支持部を対応する前記挿入孔に挿入、半田付け固定することで、メイン基板に垂直に立設配置されると共に、デジタルチューナに兼用支持固定されて成り、
前記デジタルチューナによるサブ基板の兼用支持と共に、サブ基板に実装される前記処理用ＩＣの１チップ化に伴う不要輻射ノイズの低減により、サブ基板の支持板を兼ねた金属シールド板を不要化し、小型化、軽量化、及び低コスト化ならしめることを特徴とする、請求項２〜４に記載の回路基板実装構造。
【請求項６】
電気電子機器内部に配置される回路基板支持方法において、
当該回路基板支持方法は、
水平に配置された第１の基板に垂直実装される第２の基板を、第２の基板に隣接して第１の基板に実装される筐体部品で兼用支持させることを特徴とする、回路基板支持方法。
【発明の詳細な説明】
【技術分野】
【０００１】
本発明は、電気電子機器内部に配置される回路基板実装構造、及び当該回路基板実装構造を有するデジタルＣＲＴテレビ、及び電気電子機器内部に配置される回路基板支持方法に関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして近年では、半導体技術や電子技術の伸展を背景にデジタルテレビ放送が開始され、それに伴って、当該デジタルテレビ放送を受信可能なデジタルチューナを備えると共に、信号処理をデジタル化した上、従来のテレビに対して走査線を多く備えたデジタルテレビが急速に普及しつつある。
【０００３】
図３に、従来より広く用いられているＣＲＴ方式のデジタルテレビ１における、内部の回路基板の実装構造の一例を示す。
【０００４】
図３に示すデジタルＣＲＴテレビ１では、外部から入力されたデジタル映像信号に基づいて所定の映像を表示するＣＲＴディスプレイ１ａの背面下方に、メイン基板２が水平に配置されている。当該メイン基板２は、デジタルＣＲＴテレビ１の映像、音声、或いは電源といった各種制御処理を行うための回路基板である。
【０００５】
メイン基板２には、不図示のアンテナを介して受信されるデジタルテレビ放送信号から選択されているチャンネルの放送信号を抽出し、出力するデジタルチューナ３が実装されている。当該デジタルチューナ３は、例えば短辺と長辺とから成る略長方形の下面及び上面を有する略直方体の金属製筐体３ａを有し、当該下面の四隅近傍には４つの脚部３ｂが各々設けられ、前記メイン基板２の所定の位置に当該脚部３ｂが半田接合されることでメイン基板２に垂直に立設配置される。
【０００６】
更に、前記メイン基板２には、前記デジタルチューナ３により出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために不図示の複数の処理用ＩＣチップが実装されるサブ基板４が後述する構造で垂直実装される。
【０００７】
即ち、前記メイン基板２の所定の位置にはスロット５が設けられると共に、前記サブ基板４の下端には、当該スロット５に対応するスロット用端子４ａが設けられ、サブ基板４は、スロット用端子４ａがメイン基板２のスロット５に挿入されることで、垂直実装される。
【０００８】
ところで、前記サブ基板４は、前述したように、複数の処理用ＩＣチップが実装されるため、当該ＩＣチップ間は相互に配線接続されている。従って、このＩＣチップ間の接続配線からは輻射ノイズの発生が避けられなかった。又、前記サブ基板４の前記メイン基板２への垂直実装は、前述したようにスロット５を介して行われているので、サブ基板４単独では安定性が悪く、振動などが加わるとサブ基板４がスロット５から抜けしまうような恐れがあった。
【０００９】
そこで、こうしたサブ基板４の問題を解決するために、サブ基板４の実装裏面側に隣接して相対するように金属シールド板６をメイン基板２に例えば不図示のネジ止め固定で立設して設けると共に、当該金属シールド板６とサブ基板４とを例えば支持部６ａで半田付け固定することで、サブ基板４の立設支持と輻射ノイズ対策を同時に行っていた。
【００１０】
しかしながら、この方法では、金属シールド板６が別途必要となるため、コストアップに繋がる上、メイン基板２のサイズの大型化や、重量アップを招くといったような問題を抱えていた。
【００１１】
ところで、従来、こうしたメイン基板にサブ基板を垂直に実装する場合に、サブ基板を支持する構造として、以下のような従来技術が開示されている。
【００１２】
即ち、特開２００６−２４８３８号公報（特許文献１）では、主基板に垂直実装される副基板の先端とシールドケースから延出させたコ字状支持片とを、弾性固定治具で挟持して固定するようにしている。
【００１３】
一方、特開２００５−３０２８２０号公報（特許文献２）では、主要回路基板に垂直実装された回路基板と筐体間に、固定用基板を架橋させることで、固定するようにしている。
【特許文献１】特開２００６−２４８３８号公報
【特許文献２】特開２００５−３０２８２０号公報
【発明の開示】
【発明が解決しようとする課題】
【００１４】
前記特許文献１の構成によれば、確かに、シールドケースから延出させたコ字状支持片によって、副基板を主基板に対して固定することができる。しかしながら、この構成を採用するためには、コ字状支持片が延出可能な位置に都合良くシールドケースが配置されていなければならず、その構造レイアウトには大きな制約が伴う。
【００１５】
更に、弾性固定治具が別途必要であり、コストアップに繋がることが避けられない。
【００１６】
更に、シールドケースは主基板、及び副基板全体と外部との間での電磁シールドしか行えず、主基板と副基板間での電磁シールドを成すことができない。
【００１７】
前記特許文献２の構成によれば、固定用基板を回路基板と筐体間に架橋させることで、確かに回路基板を主要回路基板に固定することができる。しかしながら、この構成を採用するためには、固定用基板を架橋できる位置に都合良く筐体が配置されていなければならず、前記特許文献１同様、その構造レイアウトには大きな制約が伴う。
【００１８】
更に、固定用基板を別途必要とするため、コストアップに繋がることが避けられない。  
【００１９】
更に、回路基板から発生する輻射ノイズを抑制する構成は開示されていない。
【００２０】
本発明は、上記問題にかんがみてなされたもので、サブ基板の支持板を兼ねた金属シールド板を不要化し、小型化、軽量化、及び低コスト化ならしめるデジタルＣＲＴテレビ、回路基板実装構造、及び回路基板支持方法を提供することを目的とする。
【課題を解決するための手段】
【００２１】
上記問題を解決する為に請求項１に記載の発明は、映像を表示するためのＣＲＴディスプレイと、アンテナが受信するデジタルテレビ放送信号から選択されたチャンネルの放送信号を抽出し、出力するデジタルチューナと、前記デジタルチューナにより出力されたデジタルテレビ放送信号のスクランブルを解除するデ・スクランブル処理と、多重化されたデジタルテレビ放送信号の中から、映像信号、音声信号、及びデータ信号を取り出すデ・マルチプレックス処理を行うために１チップ化された処理用ＩＣが実装されるサブ基板と、映像、音声、電源等の制御処理を行うメイン基板とを有し、上記メイン基板が生成した映像、音声信号に基づいて所定の映像を前記ＣＲＴディスプレに表示するデジタルＣＲＴテレビにおいて、
前記メイン基板は前記ＣＲＴディスプレイの背面下方に水平に配置され、前記デジタルチューナは、短辺と長辺とから成る略長方形の下面及び上面を有する略直方体の金属製筐体を有し、当該下面の四隅近傍には４つの脚部が各々設けられると共に、前記下面及び上面の長辺間に配置される２つの側面の内の一方には、四隅近傍に水平に切り起こされた４つの支持部が各々設けられ、前記脚部が半田接合されることでメイン基板に垂直に立設配置され、前記サブ基板は、下端にスロット用端子が設けられると共に、前記デジタルチューナに設けられた４つの前記支持部に対応する位置に挿入孔が設けられ、前記メイン基板の前記デジタルチューナ立設位置の前記支持部側に隣接するように設けられたスロットに前記スロット用端子を挿入すると共に、デジタルチューナの一方側側面に設けられた前記支持部を対応する前記挿入孔に挿入、半田付け固定することで、メイン基板に垂直に立設配置されると共に、デジタルチューナに兼用支持固定されて成り、前記デジタルチューナによるサブ基板の兼用支持と共に、サブ基板に実装される前記処理用ＩＣの１チップ化に伴う不要輻射ノイズの低減により、サブ基板の支持板を兼ねた金属シールド板を不要化した構成としている。
【００２２】
上記のように構成した請求項１に記載の発明によれば、デジタルＣＲＴテレビにおいて、前記サブ基板に実装される処理用ＩＣが１チップ化されているので、複数の処理用ＩＣが実装される場合のような処理用ＩＣ間の配線接続が無く、輻射ノイズの発生が低減される。
【００２３】
又、前記サブ基板は、元々備わっている前記デジタルチューナの側面に設けられた４つの支持部により、兼用支持固定される。
【００２４】
請求項２に記載の発明は、電気電子機器内部に配置される回路基板実装構造において、当該回路基板実装構造は、水平に配置された第１の基板と、当該第１の基板に実装される筐体部品に兼用支持された、第１の基板に垂直実装される第２の基板とを有して成る構成としている。
【００２５】
上記のように構成した請求項２に記載の発明によれば、電気電子機器内の前記第２の基板は、元々備わっている前記筐体部品により、兼用支持固定される。
【発明の効果】
【００２６】
請求項１に記載の発明によれば、デジタルＣＲＴテレビにおいて、前記サブ基板に実装される処理用ＩＣが１チップ化されているので、複数の処理用ＩＣが実装される場合のような処理用ＩＣ間の配線接続が無く、輻射ノイズの発生が低減される。
【００２７】
又、前記サブ基板は、元々備わっている前記デジタルチューナの側面に設けられた４つの支持部により、兼用支持固定される。
【００２８】
即ち、サブ基板の輻射ノイズの発生自体を低減することで電磁シールドの必要性を無くすと同時に、元々備わっているデジタルチューナを兼用してサブ基板を支持するので、サブ基板の支持板を兼ねた金属シールド板を不要化することができ、その結果、デジタルＣＲＴテレビの小型化、軽量化、及び低コスト化を図ることができる。
【００２９】
請求項２に記載の発明によれば、電気電子機器内の前記第２の基板は、元々備わっている前記筐体部品により、兼用支持固定される。
【００３０】
よって、前記第２の基板の支持のためだけの部材を不要化することができ、その結果、電気電子機器の電気電子機器内の前記第２の基板は、元々備わっている前記筐体部品により、兼用支持固定される。
【００３１】
請求項３に記載の発明によれば、デジタルＣＲＴテレビにおいて、前記サブ基板は、元々備わっている前記デジタルチューナにより、兼用支持固定される。
【００３２】
よって、前記サブ基板の支持のためだけの部材を不要化することができ、その結果、デジタルＣＲＴテレビの小型化、軽量化、及び低コスト化を図ることができる。
【００３３】
請求項４に記載の発明によれば、デジタルＣＲＴテレビにおいて、前記サブ基板に実装される処理用ＩＣが１チップ化されているので、複数の処理用ＩＣが実装される場合のような処理用ＩＣ間の配線接続が無く、輻射ノイズの発生が低減される。
【００３４】
又、前記サブ基板は、元々備わっている前記デジタルチューナにより、兼用支持固定される。
【００３５】
即ち、サブ基板の輻射ノイズの発生自体を低減することで電磁シールドの必要性を無くすと同時に、元々備わっているデジタルチューナを兼用してサブ基板を支持するので、サブ基板の支持板を兼ねた金属シールド板を不要化することができ、その結果、デジタルＣＲＴテレビの小型化、軽量化、及び低コスト化を図ることができる。
【００３６】
請求項５に記載の発明によれば、請求項１に記載の発明と同様に、デジタルＣＲＴテレビにおいて、前記サブ基板に実装される処理用ＩＣが１チップ化されているので、複数の処理用ＩＣが実装される場合のような処理用ＩＣ間の配線接続が無く、輻射ノイズの発生が低減される。
【００３７】
又、前記サブ基板は、元々備わっている前記デジタルチューナの側面に設けられた４つの支持部により、兼用支持固定される。
【００３８】
即ち、サブ基板の輻射ノイズの発生自体を低減することで電磁シールドの必要性を無くすと同時に、元々備わっているデジタルチューナを兼用してサブ基板を支持するので、サブ基板の支持板を兼ねた金属シールド板を不要化することができ、その結果、デジタルＣＲＴテレビの小型化、軽量化、及び低コスト化を図ることができる。
【００３９】
請求項６に記載の発明によれば、請求項２と同様の効果が得られる回路基板支持方法を提供できる。
【発明を実施するための最良の形態】
【００４０】
以下、本発明を電気電子機器としてのデジタルＣＲＴテレビにおいて具体化した実施例について説明する。
【実施例１】
【００４１】
図１には、本実施例におけるデジタルＣＲＴテレビ１１の概略構成を説明するブロック図を示す。尚、当該デジタルＣＲＴテレビ１１について、本願発明と直接関連しない構造については、詳細な説明、及び図示を省略する。
【００４２】
同図において、デジタルＣＲＴテレビ１１は、外部から入力されたデジタル映像信号に基づいて所定の映像を表示するＣＲＴディスプレイ１１ａと、本体の動作を制御するコントローラ１１ｂと、図示していないアンテナで受信されるデジタルテレビ放送信号から選択されているチャンネルのデジタルテレビ放送信号を抽出し、出力するデジタルチューナ１１ｃと、該デジタルチューナ１１ｃが出力したデジタルテレビ放送信号を、後述するデジタル処理を行うデジタル処理部１１ｄと、当該デジタル処理部１１ｄで処理され出力される映像信号をＣＲＴディスプレイ１１ａに適宜最適な状態で表示させるために制御処理する映像処理部１１ｅと、同じくデジタル処理部１１ｄで処理され出力される音声信号を音声をスピーカ１１ｇから最適な状態で出力させるために制御処理する、音声処理部１１ｆと、リモコン１１ｈから送信されてきた制御コマンドを受信するリモコン受信部１１ｉとを備えている。
【００４３】
図２に、前記デジタルＣＲＴテレビ１１内部の回路基板実装構造を示す。
【００４４】
同図に示す通り、デジタルＣＲＴテレビ１１は、前記ＣＲＴディスプレイ１１ａの背面下方に、第１の基板としてのメイン基板１２が水平に配置されている。当該メイン基板１２は、デジタルＣＲＴテレビ１１の映像、音声、或いは電源といった各種制御処理を行うための前記コントローラ１１ｂを構成する回路基板である。
【００４５】
前記メイン基板１２には、筐体部品としての前記デジタルチューナ１１ｃが実装されている。当該デジタルチューナ１１ｃは、例えば短辺と長辺とから成る略長方形の下面及び上面を有する略直方体の例えばアルミ板が曲げ加工されて成る金属製筐体１１ｃ１を有し、当該下面の四隅近傍には４つの脚部１１ｃ２が各々設けられる。当該脚部１１ｃ２には、例えばＳｎメッキ処理が施され、前記メイン基板１２の所定の位置に当該脚部１１ｃ２が半田接合されることでメイン基板に垂直に立設配置される。
【００４６】
又、前記デジタルチューナ１１ｃの金属製筐体１１ｃ１は、前記下面及び上面の長辺間に配置される２つの側面の内の、隣接して前記メイン基板に垂直実装される後述するサブ基板１３に相対する側の側面の例えば四隅近傍に、水平に切り起こされた略長方形の４つの支持部１１ｃ３が各々設けられる。当該支持部１１ｃ３の先端には、前記脚部１１ｃ２同様、半田付け可能なように、例えばＳｎメッキ処理が施されている。
【００４７】
更に、前記メイン基板１２には、前記デジタルチューナ１１ｃにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された不図示の処理用ＩＣが実装された、前記デジタル処理部１１ｄを構成する第２の基板としてのサブ基板１３が後述する構造で垂直実装される。
【００４８】
即ち、前記メイン基板１２の、前記デジタルチューナ１１ｃが立設配置される位置に隣接する位置にはスロット１４が並列して設けられると共に、前記サブ基板１３の下端には、当該スロット１４に対応する凸状のスロット用端子１３ａが設けられ、サブ基板１３は、スロット用端子１３ａがメイン基板１２のスロット１４に挿入されることで、前記デジタルチューナ１１ｃに隣接する位置に垂直実装される。
【００４９】
又、前記サブ基板１３の、前記デジタルチューナ１１ｃの金属製筐体１１ｃ１に設けられた４つの支持１１ｃ３部に対応する位置には各々挿入孔１３ｂが設けられ、前記メイン基板１２に、前記デジタルチューナ１１ｃ及び前記サブ基板１３が各々垂直実装される際、併せて前記支持部１１ｃ３が、前記挿入孔１３ｂに挿入、半田付け固定される。
【００５０】
この結果、前記サブ基板１３は、前記支持部１１ｃ３を介して前記デジタルチューナ１１ｃに兼用支持されることになり、例え振動等が加わったような場合であっても、サブ基板１３の前記スロット用端子１３ａが前記メイン基板１２に設けられたスロット１４から脱落しないように、確実に支持固定され得る。
【００５１】
更に、前記サブ基板１３に実装される、デ・スクランブル処理とデ・マルチプレックス処理を行うための処理用ＩＣは、前述したように１チップ化されているため、従来の複数チップが実装されている場合のチップ相互間の配線構造を要しないため、当該配線から発生していた不要輻射ノイズを大幅に低減でき、金属シールド板を不要化することができる。
【００５２】
即ち、前記サブ基板１３の支持は前記デジタルチューナ１１ｃで兼用して行うと同時に、サブ基板１３からの不要輻射ノイズの発生を処理用ＩＣの１チップ化により大幅に低減したので、従来設けていた支持、及び電磁シールドを兼ねていた金属シールド板を不要化することができる。従って、小型化、軽量化、及び低コスト化ならしめる回路基板実装構造、及び当該回路基板実装構造を有するデジタルＣＲＴテレビを提供することができるという優れた効果を奏し得る。
【００５３】
尚、本願発明は実施例の構成に限定されるものではなく、以下に列記する構成について、適宜変更可能である。
【００５４】
１．実施例では、回路基板実装構造を有する電気電子機器として、デジタルＣＲＴテレビの場合を例に説明したが、これに限定されることはなく、第１の基板に垂直実装する第２の基板の配置構造を取り得る、液晶テレビ、プラズマテレビ等の各種テレビ受像機、更には、テレビ受像機以外の電気電子機器に適用するようにしても良い。
【００５５】
但し、テレビ受像機以外の電気電子機器に適用する場合には、第２の基板を兼用支持する筐体部品として、デジタルチューナではなく、同等の支持構造を取り得る他の筐体部品を用いるようにする。
【００５６】
又、テレビ受像機の場合に、第１の基板に垂直実装する第２の基板の配置構造を取り得れば、必ずしもデジタル方式に限定はされず、従来のアナログ方式のテレビ受像機に適用することも、勿論可能である。
【００５７】
２．実施例に記載した、サブ基板をデジタルチューナで兼用支持するための支持部の具体的構造はあくまで一例に過ぎず、サブ基板を兼用支持固定可能でありさえすれば、何ら限定されるものではない。
【００５８】
例えば、実施例のような金属筐体の切り起こし構造ではなく、別体の支持部を例えばネジ等で金属筐体に装着するようにしても良い。
【００５９】
更に、支持部の取り付け位置も、デジタルチューナ側面の四隅に限定されることはなく、１〜３点支持、或いは５点〜支持であっても良いし、位置もサブ基板を支持可能であれば、任意の位置に配置可能である。
【００６０】
３．デジタルチューナの脚部のメイン基板への固定方法、及び支持部のサブ基板への固定方法は、実施例では半田付け固定として説明したが、これに限定されることは無く、例えばネジ固定、リベット固定等の各種固定方法が適用可能である。
【００６１】
４．デジタルチューナの筐体は、実施例ではアルミ製の金属筐体として説明したが、これに限定されることはなく、例えばスチール製等の他の金属筐体を適用しても良い。
【００６２】
更に、金属筐体に限定はされず、例えば樹脂等の他の材質の筐体に適用しても良い。この場合、脚部や支持部は一体形成できるので、一層のコストダウンが図れる上、軽量化も図れる。尚、デジタルチューナの電磁シールドを要する場合に、樹脂製筐体を採用する場合には、例えば表面に金属メッキを施したり、或いはカーボンファイバ樹脂を適用すること等で対応可能である。
【００６３】
５．デジタルチューナの前記支持部によるサブ基板への支持固定においては、単なる機械的支持構造のみならず、電気的なＧＮＤ接続を伴うようにしても良い。
【００６４】
６．デジタルチューナで兼用支持するサブ基板の具体的な機能は、実施例で説明したデジタル処理に限定されることはなく、メイン基板に垂直実装される実装構造をとり得る各種実装基板が対象となり得る。
【００６５】
７．デジタルチューナで兼用支持するサブ基板は、実施例のような１つに限定はされず、２つ以上の複数であっても良い。
【００６６】
例えば、サブ基板が２つであれば、デジタルチューナの両側に各々１つづつ、並列配置して兼用支持する構造が考えられる。
【００６７】
又、サブ基板が３つ以上であれば、例えば、サブ基板を各々並列配置すると共に、デジタルチューナから支持部を伸延させて、各サブ基板に固定するような構造が考えられる。或いは、デジタルチューナで直接支持固定するのは一番手前のサブ基板のみにし、他のサブ基板については、一番手前の当該サブ基板から支持部材を介して固定するようにしても良い。
【００６８】
８．実施例では、サブ基板に実装される処理用ＩＣを１チップ化することで不要輻射ノイズを低減する構成としているが、必ずしもこれに限定されることはなく、例えばノイズフィルタを設けることでノイズを低減するような構成としても良い。要は、従来のような金属シールド板を要しないようにノイズを低減できれば良い。
【００６９】
９．サブ基板のメイン基板への垂直実装構造は、実施例で説明したようなスロットを介した構造に限定はされず、他の各種垂直実装構造が適用可能である。例えば、サブ基板とメイン基板とに一対のピン挿入コネクタを設けたり、或いは、メイン基板にスルーホールを設けると共に、サブ基板に設けたピン端子を挿入、半田挿入実装する構成等が挙げられる。尚、後者の半田挿入実装する構成の場合には、スロットのような抜けの可能性は低いが、サブ基板の垂直実装状態を維持する強度としては不十分であるので、支持構造をとる必要性は変わらない。
【００７０】
１０．本発明における回路基板実装構造を適用する電気電子機器によっては、第２の基板（サブ基板）に元来、電磁シールドの必要性の無い場合もあり得る。その場合であっても、第１の基板（メイン基板）に第２の基板を垂直実装する際の支持構造をとる必要性は変わらず、独立した支持構造をとる場合に比べ、筐体部品で兼用支持することによる小型化、軽量化、及びコストダウンの効果を奏することに変わりはない。
【００７１】
１１．実施例で説明した構成は回路基板実装構造、及び当該回路基板実装構造を有するデジタルＣＲＴテレビとしてのみならず、回路基板支持方法としても提供可能であるのは言うまでも無い。
【００７２】
以下に請求項３以降の作用について述べる。
【００７３】
請求項３に記載の発明は、電気電子機器内部に配置される回路基板実装構造において、電気電子機器はデジタルテレビであって、前記第１の基板は、映像、音声、電源等の制御処理を行うメイン基板であり、前記筐体部品は、受信されるデジタルテレビ放送信号から選択されているチャンネルの放送信号を抽出し、出力するデジタルチューナであり、前記第２の基板は、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うサブ基板であり、当該回路基板実装構造は、水平に配置された前記メイン基板と、当該メイン基板に実装される前記デジタルチューナに兼用支持された、メイン基板に垂直実装されるサブ基板とを有して成る構成としている。
【００７４】
上記のように構成した請求項３に記載の発明によれば、デジタルＣＲＴテレビにおいて、前記サブ基板は、元々備わっている前記デジタルチューナにより、兼用支持固定される。
【００７５】
請求項４に記載の発明は、電気電子機器内部に配置される回路基板実装構造において、電気電子機器はデジタルテレビであって、前記第１の基板は、映像、音声、電源等の制御処理を行うメイン基板であり、前記筐体部品は、受信されるデジタルテレビ放送信号から選択されているチャンネルの放送信号を抽出し、出力するデジタルチューナであり、前記第２の基板は、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された処理用ＩＣが実装されるサブ基板であり、当該回路基板実装構造は、水平に配置された前記メイン基板と、当該メイン基板に実装される前記デジタルチューナに兼用支持された、メイン基板に垂直実装されるサブ基板とを有して成り、前記デジタルチューナによるサブ基板の兼用支持と共に、サブ基板に実装される前記処理用ＩＣの１チップ化に伴う不要輻射ノイズの低減により、サブ基板の支持板を兼ねた金属シールド板を不要化する構成としている。
【００７６】
上記のように構成した請求項４に記載の発明によれば、デジタルＣＲＴテレビにおいて、前記サブ基板に実装される処理用ＩＣが１チップ化されているので、複数の処理用ＩＣが実装される場合のような処理用ＩＣ間の配線接続が無く、輻射ノイズの発生が低減される。
【００７７】
又、前記サブ基板は、元々備わっている前記デジタルチューナにより、兼用支持固定される。
【００７８】
請求項５に記載の発明は、電気電子機器内部に配置される回路基板実装構造において、電気電子機器はデジタルＣＲＴテレビであって、当該デジタルＣＲＴテレビは、前記ＣＲＴディスプレイと、受信されるデジタルテレビ放送信号から選択されているチャンネルの放送信号を抽出し、出力する前記筐体部品としてのデジタルチューナと、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された処理用ＩＣが実装される前記第２の基板としてのサブ基板と、映像、音声、電源等の制御処理を行う前記第１の基板としてのメイン基板とを有し、前記メイン基板は前記ＣＲＴディスプレイの背面下方に水平に配置され、前記デジタルチューナは、短辺と長辺とから成る略長方形の下面及び上面を有する略直方体の金属製筐体を有し、当該下面の四隅近傍には４つの脚部が各々設けられると共に、前記下面及び上面の長辺間に配置される２つの側面の内の一方には、四隅近傍に水平に切り起こされた４つの支持部が各々設けられ、前記脚部が半田接合されることでメイン基板に垂直に立設配置され、前記サブ基板は、下端にスロット用端子が設けられると共に、デジタルチューナに設けられた４つの前記支持部に対応する位置に挿入孔が設けられ、前記メイン基板の前記デジタルチューナ立設位置の前記支持部側に隣接するように設けられたスロットに前記スロット用端子を挿入すると共に、デジタルチューナの一方側側面に設けられた前記支持部を対応する前記挿入孔に挿入、半田付け固定することで、メイン基板に垂直に立設配置されると共に、デジタルチューナに兼用支持固定されて成り、前記デジタルチューナによるサブ基板の兼用支持と共に、サブ基板に実装される前記処理用ＩＣの１チップ化に伴う不要輻射ノイズの低減により、サブ基板の支持板を兼ねた金属シールド板を不要化し、小型化、軽量化、及び低コスト化ならしめる構成としている。
【００７９】
上記のように構成した請求項５に記載の発明によれば、請求項１に記載の発明と同様に、デジタルＣＲＴテレビにおいて、前記サブ基板に実装される処理用ＩＣが１チップ化されているので、複数の処理用ＩＣが実装される場合のような処理用ＩＣ間の配線接続が無く、輻射ノイズの発生が低減される。
【００８０】
又、前記サブ基板は、元々備わっている前記デジタルチューナの側面に設けられた４つの支持部により、兼用支持固定される。
【００８１】
請求項６に記載の発明は、電気電子機器内部に配置される回路基板支持方法において、当該回路基板支持方法は、水平に配置された第１の基板に垂直実装される第２の基板を、第２の基板に隣接して第１の基板に実装される筐体部品で兼用支持させる構成としている。
【００８２】
上記のように構成した請求項６に記載の発明によれば、請求項２と同様の作用が得られる回路基板支持方法が提供される。
【産業上の利用可能性】
【００８３】
サブ基板の支持板を兼ねた金属シールド板を不要化し、小型化、軽量化、及び低コスト化ならしめるデジタルＣＲＴテレビ、回路基板実装構造、及び回路基板支持方法を提供する。
【図面の簡単な説明】
【００８４】
【図１】本発明の実施例１を説明するブロック図である。
【図２】本発明の実施例１を説明する部分斜視図である。
【図３】従来技術を説明する部分斜視図である。
【符号の説明】
【００８５】
１１…デジタルＣＲＴテレビ
１１ａ…ＣＲＴディスプレイ
１１ｂ…コントローラ
１１ｃ…デジタルチューナ
１１ｃ１…筐体部品としての金属製筐体
１１ｃ２…脚部
１１ｃ３…支持部
１２…第１の基板としてのメイン基板
１３…第２の基板としてのサブ基板
１３ａ…スロット用端子
１３ｂ…挿入孔
１４…スロット
【図１】
2007288045.tif 000003
【図２】
2007288045.tif 000004
【図３】
2007288045.tif 000005